(57)【要約】【課題】ガーゼ等の布製衛生用品を構成する布地自体に抗菌作用があり、従来の製品に比して細菌が繁殖しにくい布製衛生用品を提供することを課題とする。【解決手段】ガーゼ１を構成する布地は、緯糸１０と経糸２０とによって製造されている。この織糸のうち経糸２０には、過酸化水素と二価鉄塩とを含む水溶液中においてセルロース繊維にメタクリル酸をグラフト共重合させることによって分子中にカルボキシル基が導入された消臭セルロース繊維を紡糸して得られる織糸が用いられている。【選択図】  図１
2004353111.tif 000002
【特許請求の範囲】
【請求項１】
布地を原材料として構成される布製衛生用品において、
前記布地を構成する織糸の少なくとも一部の織糸が、過酸化水素と二価鉄塩とを含む水溶液中においてセルロース繊維にメタクリル酸をグラフト共重合させることによって分子中にカルボキシル基が導入された消臭セルロース繊維を紡糸して得られる織糸であることを特徴とする布製衛生用品。
【請求項２】
前記消臭セルロース繊維を紡糸して得られる織糸を２５％以上含む前記布地を原材料とすることを特徴とする請求項１に記載の布製衛生用品。
【請求項３】
前記布製衛生用品は、ガーゼであることを特徴とする請求項１または２に記載の布製衛生用品。
【請求項４】
前記布製衛生用品は、包帯であることを特徴とする請求項１または２に記載の布製衛生用品。
【発明の詳細な説明】
【０００１】
【発明の属する技術分野】
本発明は、医療現場や家庭等で使用されるガーゼや包帯等の布製衛生用品に関するものである。
【０００２】
【従来の技術】
従来から、図４（ａ）に示したようなガーゼが医療現場や家庭等において使用されている。
【０００３】
図４（ａ）に示した綿の布地によって構成されるガーゼ１は、予めガス滅菌処理が施されており、この滅菌処理がなされたガーゼ１が、紙やプラスチックフィルム等で構成される密封包装部材２内に密封包装されている。
【０００４】
このようなガーゼ１は、使用時において、図４（ｂ）に示すように密封包装を使用者が開封して使用するものである。
【０００５】
【発明が解決しようとする課題】
しかしながら、図４（ａ），（ｂ）に示したガーゼ１は、ガーゼ１自体には抗菌作用が無いために、図４（ｂ）に示したような開封状態で長時間放置すると、ガーゼ１に細菌が付着して、その細菌が繁殖してしまうことがあるという問題があった。このため、使用者には、密封包装を開封した後は、ガーゼ１に細菌が付着しないよう細心の注意が必要とされていた。
【０００６】
本発明の目的は、ガーゼ等の布製衛生用品を構成する布地自体に抗菌作用があり、従来の製品に比して細菌が繁殖しにくい布製衛生用品を提供することにある。
【０００７】
【課題を解決するための手段】
以上の目的を達成するために本発明は、布地を原材料として構成される布製衛生用品において、前記布地を構成する織糸の少なくとも一部の織糸が、過酸化水素と二価鉄塩とを含む水溶液中においてセルロース繊維にメタクリル酸をグラフト共重合させることによって分子中にカルボキシル基が導入された消臭セルロース繊維を紡糸して得られる織糸であることを特徴とするものである。
【０００８】
【発明の実施の形態】
以下、図面を用いて本発明の実施形態を説明する。
【０００９】
図１は本発明の一実施形態であるガーゼ１を構成する布地の断面構成を示した構成図である。
【００１０】
図１に示したように本実施形態に係る布地は、緯糸１０と経糸２０という織糸によって構成されている。本実施形態においては、緯糸１０に通常の綿製の織糸を用い、緯糸１０に比して使用量の多い経糸２０には、消臭セルロース繊維を紡糸して得られる織糸を用いている。
【００１１】
ここで、本実施形態の経糸２０に用いられている消臭セルロース繊維を紡糸して得られる織糸について説明する。
【００１２】
この消臭セルロース繊維を紡糸して得られる消臭機能を有する織糸は、特開平６−１８４９４１号公報に開示されている消臭作用を有する消臭セルロース繊維を紡糸することによって製造された織糸である。
【００１３】
すなわち、この消臭機能を有する織糸は、過酸化水素と二価鉄塩とを含む水溶液中においてセルロース繊維にメタクリル酸をグラフト共重合させることによって分子中にカルボキシル基が導入された消臭セルロース繊維を紡糸して得られる織糸である。なお、この消臭機能を有する織糸の素材としては、綿等の天然繊維の他、レーヨン等も用いることができる。本実施形態においては、この織糸の素材として綿を用いている。
【００１４】
以上説明した消臭機能を有する織糸に用いられている消臭セルロース繊維には、抗菌作用があることが実験により証明されている。
【００１５】
以下、この消臭機能を有する消臭セルロース繊維の抗菌作用の証明実験について説明する。
【００１６】
この消臭セルロース繊維を含む布地の抗菌作用を調べる実験は、東北大学医学部老人科の佐藤延子氏等によってなされたものである。
【００１７】
この実験は、先に説明した消臭セルロース繊維を２５％含み、残りの７５％が綿繊維で構成されている試験用布地に対して行われたものであり、コントロールとしては、「本院で使用している布製のシーツ」が用いられている。
【００１８】
この実験は、これら２枚の布地に対して、細菌含有液をたらし、一定時間放置後、布地の表面を培地に直接付着させて細菌を培地にこすり付け、細菌数を調べた実験である。
【００１９】
この実験結果を、図２（Ａ）〜（Ｄ）に示す。図２（Ａ）は滴下する細菌としてＭＲＳＡを用いたものであり、図２（Ｂ）は大腸菌を用いたものであり、図２（Ｃ）は肺炎桿菌を用いたものであり、図２（Ｄ）は縁膿菌を用いたものである。なお、図２（Ａ）〜（Ｄ）において縦軸は細菌数を示し、横軸は滴下後からの時間（ｈｏｕｒ）を示し、Ｂは滴下した菌数を示している。
【００２０】
図２（Ａ）〜（Ｄ）に示したようにいずれの菌でも、試験用布地においては、滴下後１〜３時間で完全に近い殺菌結果を示している。
【００２１】
先に説明したように本実施形態に係るガーゼ１には、このような殺菌機能を有する消臭セルロース繊維を紡糸して得られる織糸が、緯糸１０よりも使用量の多い経糸２０として用いられている。すなわち、本実施形態に係るガーゼ１を構成する布地には、消臭セルロース繊維が５０％以上含まれているために、本実施形態に係るガーゼ１は、充分な殺菌作用を有するガーゼとなっている。
【００２２】
従って、本実施形態によれば、もし細菌が付着したとしても、従来のガーゼに比して細菌が著しく繁殖しにくいガーゼを提供することができる。
【００２３】
なお、本実施形態に係るガーゼの抗菌作用は、通常の洗濯をしたり、日光に当てたりすることにより回復させることができる。
【００２４】
以上説明した抗菌作用を有する布地は、ガーゼのみではなく、例えば図３に示す包帯３の原材料とすることもできる。すなわち、先に説明した消臭セルロース繊維を紡糸して得られる織糸が、全ての織糸または少なくとも一部の織糸に用いられている布地は、抗菌作用が必要とされるどのような布製衛生用品の原材料とすることもできる。
【００２５】
すなわち、患部を保護するサポータ、医療現場で使用する手袋，帽子、細菌が付着した可能性のある物品を拭く清掃用布等の布製衛生用品の原材料とすることができる。
【００２６】
なお、本発明の範囲は以上に記した製品に限定されるものではない。
【００２７】
【発明の効果】
以上説明したように、本発明によれば、ガーゼ等の布製衛生用品を構成する布地自体に抗菌作用があり、従来の製品に比して細菌が繁殖しにくい布製衛生用品を提供することができる。
【図面の簡単な説明】
【図１】本発明の一実施形態に係るガーゼを構成する布地の断面構成を示した断面図である。
【図２】本発明に係る織糸を構成する消臭セルロース繊維の抗菌作用の実験結果を示すグラフである。
【図３】本発明の他の実施形態に係る包帯の斜視図である。
【図４】従来のガーゼの説明図である。
【符号の説明】
１  ガーゼ
２  密封包装部材
３  包帯
１０  緯糸
２０  経糸
【図１】
2004353111.tif 000003
【図２】
2004353111.tif 000004
【図３】
2004353111.tif 000005
【図４】
2004353111.tif 000006